(57)【要約】【課題】収録素材のファイルサイズが大きい場合であっても、効率的に作業を行うことが可能な映像収録装置及び映像管理方法を提供する。【解決手段】装置制御部１１１は、実行処理の実行指示が入力されると、コントローラ１２，１３を操作して記録媒体６，７に対して処理を実行する。このとき、装置制御部１１１は、記録媒体６，７における状態ファイルを参照して処理を実行する。映像管理部１１２は、実行した処理の進行度を状態ファイルへ書き込む。状態ファイルには、映像クリップに対する実行処理の優先度等が予め記録されていてもよい。これにより、映像収録装置は、中断された処理を再開する旨の指示を受けた場合、中断時の進行度を参照して、処理が中断された位置から処理を再開することが可能となる。【選択図】      図２
2010171890.tif 000002
【特許請求の範囲】
【請求項１】
ランダムアクセス可能な記録媒体と、
前記記録媒体に記録される素材データに対する複数の実行処理のうち実行要求を受けた実行処理を実行する実行手段と、
前記素材データに対して実行中の実行処理の進行度を含む処理情報を、前記記録媒体内に書き込む書込み手段と
を具備し、
前記実行手段は、前記素材データに対する実行処理が中断され、その後に当該実行処理が再開された場合、前記記録媒体に書き込まれた処理情報を参照し、前記実行処理が中断された位置から処理を再開することを特徴とする映像収録装置。
【請求項２】
前記処理情報は、前記複数の実行処理毎の優先度を含み、
前記実行手段は、前記素材データに対して複数の実行要求を受けた場合、前記処理情報を参照し、要求された実行処理のうち優先度が最も高い実行処理を実行することを特徴とする請求項１記載の映像収録装置。
【請求項３】
前記実行手段は、前記素材データに対して一の実行処理を実行している最中に前記実行処理よりも優先度の高い実行処理の実行要求がある場合、実行中の実行処理を中断して前記優先度の高い実行処理を実行することを特徴とする請求項２記載の映像収録装置。
【請求項４】
前記処理情報は、前記実行処理の予め設定された進行度を含み、
前記実行手段は、前記素材データに対する実行中の実行処理の進行度が前記予め設定された進行度を超えている状態で他の実行処理の実行要求がある場合、実行中の実行処理を中断して前記要求された他の実行処理を実行することを特徴とする請求項１記載の映像収録装置。
【請求項５】
前記記録媒体には、指定した実行処理が実行される実行予定時刻が予め書き込まれており、
前記実行手段は、前記実行予定時刻になると前記指定した実行処理を実行することを特徴とする請求項１記載の映像収録装置。
【請求項６】
前記記録媒体には、指定した複数の実行処理が実行される実行順序が予め書き込まれており、
前記実行手段は、前記実行順序で前記指定した複数の実行処理を実行することを特徴とする請求項１記載の映像収録装置。
【請求項７】
前記書込み手段は、前記記録媒体に記録される素材データに対して実行された実行処理の実行履歴を前記記録媒体に順次書き込むことを特徴とする請求項１記載の映像収録装置。
【請求項８】
前記実行手段は、起動又は再起動時に前記記録媒体に書き込まれた処理情報を参照し、実行処理が中断された位置から処理を再開することを特徴とする請求項１記載の映像収録装置。
【請求項９】
前記素材データに対する複数の実行処理は、再生、コピー、転送、削除及び編集を含むことを特徴とする請求項１記載の映像収録装置。
【請求項１０】
素材データを取得する取得手段と、
前記取得した素材データを前記記録媒体に収録する収録手段と
をさらに備え、
前記書込み手段は、前記収録中の素材データの収録位置を前記処理情報として前記記録媒体内に書き込むことを特徴とする請求項１記載の映像収録装置。
【請求項１１】
ランダムアクセス可能な記録媒体に記録される素材データに対する複数の実行処理のうち実行要求を受けた実行処理を実行し、
前記素材データに対して実行中の実行処理の進行度を含む処理情報を、前記記録媒体内に書き込み、
前記素材データに対する実行処理が中断され、その後に当該実行処理が再開された場合、前記記録媒体に書き込まれた処理情報を参照し、前記実行処理が中断された位置から処理を再開することを特徴とする映像管理方法。
【請求項１２】
前記処理情報が前記複数の実行処理毎の優先度を含む場合、
前記素材データに対して複数の実行要求を受けると、前記処理情報を参照し、要求された実行処理のうち優先度が最も高い実行処理を実行することを特徴とする請求項１１記載の映像管理方法。
【請求項１３】
前記素材データに対して一の実行処理を実行している最中に前記実行処理よりも優先度の高い実行処理の実行要求がある場合、実行中の実行処理を中断して前記優先度の高い実行処理を実行することを特徴とする請求項１２記載の映像管理方法。
【請求項１４】
前記処理情報が前記実行処理の予め設定された進行度を含む場合、
前記素材データに対する実行中の実行処理の進行度が前記予め設定された進行度を超えている状態で他の実行処理の実行要求がある場合、実行中の実行処理を中断して前記要求された他の実行処理を実行することを特徴とする請求項１１記載の映像管理方法。
【請求項１５】
前記記録媒体に指定した実行処理が実行される実行予定時刻が予め書き込まれている場合、
前記実行予定時刻になると前記指定した実行処理を実行することを特徴とする請求項１１記載の映像管理方法。
【請求項１６】
前記記録媒体に指定した複数の実行処理が実行される実行順序が予め書き込まれている場合、
前記実行順序で前記指定した複数の実行処理を実行することを特徴とする請求項１１記載の映像管理方法。
【請求項１７】
前記記録媒体に記録される素材データに対して実行された実行処理の実行履歴を前記記録媒体に順次書き込むことを特徴とする請求項１１記載の映像管理方法。
【請求項１８】
起動又は再起動時に前記記録媒体に書き込まれた処理情報を参照し、実行処理が中断された位置から処理を再開することを特徴とする請求項１１記載の映像管理方法。
【請求項１９】
前記素材データに対する複数の実行処理は、再生、コピー、転送、削除及び編集を含むことを特徴とする請求項１１記載の映像管理方法。
【請求項２０】
素材データを取得し、当該取得した素材データを前記記録媒体に収録する場合、
前記収録中の素材データの収録位置を前記処理情報として前記記録媒体内に書き込むことを特徴とする請求項１１記載の映像管理方法。
【発明の詳細な説明】
【技術分野】
【０００１】
本発明は、例えば、放送番組用素材の制作・編集システム等に用いられる映像収録装置及び映像管理方法に関する。
【背景技術】
【０００２】
近年、地上デジタル放送の開始、また放送と通信の融合が進む中、放送の分野において、デシタル化がますます進んでいる。従来、映像素材収録には磁気テープを媒体として用いてきたが、素材のデジタル化に伴い、ハードディスク又はフラッシュメモリ等を用いた収録システムが検討されている（例えば、特許文献１及び２参照）。ハードディスク及びフラッシュメモリは、テープと比較すると、高速ランダムアクセスが可能であるという利点がある。これにより、ハードディスク又はフラッシュメモリ等を用いた収録システムは、従来のテープを用いたシステムでは不可能であった様々な機能を実現することが可能となった。
【０００３】
しかしながら、現在、高精細映像を扱う機会が増え、収録素材のファイルサイズが増大する傾向にある。これにより、収録素材の管理に手間がかかり、作業効率が低下するという問題がある。例えば、素材のコピー又は転送を行っている最中に素材の編集が必要になった場合、実行中の処理を中止して素材を編集しなければならず、それまでのコピー・転送が無駄になってしまうおそれがある。
【先行技術文献】
【特許文献】
【０００４】
【特許文献１】特開２００７−２３３５１２号公報
【特許文献２】特開２００７−２９３４５９号公報
【発明の概要】
【発明が解決しようとする課題】
【０００５】
以上のように、フラッシュメモリ等を用いた収録システムは磁気テープを用いたシステムよりも有効な機能を有するが、収録素材のファイルサイズが大きい場合、作業効率が低下するという問題がある。
【０００６】
本発明は上記事情によりなされたもので、その目的は、収録素材のファイルサイズが大きい場合であっても、効率的に作業を行うことが可能な映像収録装置及び映像管理方法を提供することにある。
【課題を解決するための手段】
【０００７】
上記目的を達成するために本発明に係る映像収録装置は、ランダムアクセス可能な記録媒体と、前記記録媒体に記録される素材データに対する複数の実行処理のうち実行要求を受けた実行処理を実行する実行手段と、前記素材データに対して実行中の実行処理の進行度を含む処理情報を、前記記録媒体内に書き込む書込み手段とを具備し、前記実行手段は、前記素材データに対する実行処理が中断され、その後に当該実行処理が再開された場合、前記記録媒体に書き込まれた処理情報を参照し、前記実行処理が中断された位置から処理を再開することを特徴とする。
【０００８】
また、本発明に係る映像管理方法は、ランダムアクセス可能な記録媒体に記録される素材データに対する複数の実行処理のうち実行要求を受けた実行処理を実行し、前記素材データに対して実行中の実行処理の進行度を含む処理情報を、前記記録媒体内に書き込み、前記素材データに対する実行処理が中断され、その後に当該実行処理が再開された場合、前記記録媒体に書き込まれた処理情報を参照し、前記実行処理が中断された位置から処理を再開することを特徴とする。
【０００９】
上記構成による映像収録装置及び映像管理方法では、記録媒体に実行中の実行処理の進行度を書き込むようにしているため、その実行処理が中断された場合、記録媒体には中断時の進行度が保持されることとなる。これにより、映像収録装置は、中断された処理を再開する旨の指示を受けた場合、中断時の進行度を参照して、処理が中断された位置から処理を再開することが可能となる。
【発明の効果】
【００１０】
本発明によれば、収録素材のファイルサイズが大きい場合であっても、効率的に作業を行うことが可能な映像収録装置及び映像管理方法を提供することができる。
【図面の簡単な説明】
【００１１】
【図１】本発明の一実施形態に係る映像収録装置の構成を示す図である。
【図２】図１の映像収録装置の機能構成を示すブロック図である。
【図３】図１の内蔵記録媒体の記録内容の１例を示す図である。
【図４】図２の制御部が内蔵記録媒体に記録される映像クリップに対して処理を実行する際の動作を示すフローチャートである。
【図５】映像クリップＢを内蔵記録媒体からリムーバブル記録媒体へコピーしている際に映像クリップＢの編集が指示される際の図である。
【発明を実施するための形態】
【００１２】
以下、図面を参照しながら本発明に係る映像収録装置の実施の形態について詳細に説明する。
【００１３】
図１は、本発明の一実施形態に係る映像収録装置の構成を示す模式図である。映像収録装置１０にはカメラ１が接続され、カメラ１により撮像された映像が映像収録装置１０に取り込まれる。取り込まれた映像は、挿入口８に挿入されるリムーバブルメディアであるリムーバブル記録媒体６、あるいは装置本体に内蔵される内蔵記録媒体７に映像クリップとして収録される。リムーバブル記録媒体６又は内蔵記録媒体７に収録された映像クリップは、ネットワークインタフェース（Ｉ／Ｆ）２を介して外部ネットワークに送出することが可能である。
【００１４】
リムーバブル記録媒体６及び内蔵記録媒体７は、例えばフラッシュメモリ等のランダムアクセス可能な不揮発性半導体メモリが用いられる。フラッシュメモリは、書き換え可能な不揮発性半導体メモリであり、高速ランダムアクセス性という利点があるほか、テープや光ディスクドライブとは異なり、機械的な可動部を持たないため耐振動性などに優れている。
【００１５】
映像収録装置１０の本体前面パネルには、表示部３、映像操作部４、画面操作部５が設けられる。  
表示部３は、例えば、ＬＣＤ（Liquid Crystal Display）で構成される。表示部３は、例えば、撮像中の映像クリップ、記録媒体６，７から再生された映像クリップ、映像収録装置１０のセットアップ情報及び状態ファイルの内容を表示する。なお、状態ファイルに関しては後述する。
【００１６】
映像操作部４は、各種のボタンと、ダイヤルとを備える。ユーザはこれらのボタン及びダイヤルを操作することで、記録媒体６，７に収録された映像クリップの再生開始及び再生停止等の再生指示を入力することができる。
【００１７】
画面操作部５は、各種のボタンを備える。ユーザはこれらのボタンを操作することで、カメラ１で撮像された映像クリップの収録／再生指示、記録媒体６，７に記録されている映像クリップ及び状態ファイルへのアクセス（コピー、転送、削除及び編集等）指示を入力することができる。
【００１８】
図２は、上記映像収録装置１０の機能構成を示すブロック図である。  
映像収録装置１０は、マイクロプロセッサ等のＣＰＵ（Central Processing Unit）から成る制御部１１を備える。制御部１１は、装置全体の制御を行う装置制御部１１１と、記録媒体６，７に記録される映像クリップの管理を行う映像管理部１１２とを備える。制御部１１は、メディアコントローラ１２、内蔵記録媒体コントローラ１３、エンコーダ１４、デコーダ１５、受信部１６、出力部１７、表示部３及びネットワークインタフェース２とバスを介して接続されている。また、制御部１１には、映像操作部４及び画面操作部５が接続されている。メディアコントローラ１２には、リムーバブル記録媒体６が接続され、内蔵記録媒体コントローラ１３には、内蔵記録媒体７が接続される。
【００１９】
受信部１６は、カメラ１により撮像された映像を受信して映像収録装置１０に取り込む。エンコーダ１４は、取り込まれた映像を符号化する。
【００２０】
メディアコントローラ１２は、装置制御部１１１からの指示によりリムーバブル記録媒体６に対して映像クリップの読み出し／書き込み等の処理を行う。また、メディアコントローラ１２は、映像管理部１１２からの指示により、リムーバブル記録媒体６における状態ファイルに対してデータの更新等の処理を行う。
【００２１】
内蔵記録媒体コントローラ１３は、装置制御部１１１からの指示により内蔵記録媒体７に対して映像クリップの読み出し／書き込み等の処理を行う。また、内蔵記録媒体コントローラ１３は、映像管理部１１２からの指示により、内蔵記録媒体７における状態ファイルに対してデータの更新等の処理を行う。
【００２２】
図３は、内蔵記録媒体７の記録内容の１例を示す模式図である。図３における内蔵記録媒体７には、映像クリップＡ、映像クリップＢと共に映像クリップＡ，Ｂの管理ファイルである状態ファイルが記録されている。
【００２３】
状態ファイルには、内蔵記録媒体７に記録される映像クリップ名、その映像クリップに対して実行される処理名（収録、再生、コピー、転送、削除又は編集等）、実行処理に関する情報、実行処理の進行度及び実行処理の優先度等が記録される。優先度は、映像収録装置１０のユーザが必要に応じて更新することが可能である。
【００２４】
デコーダ１５は、メディアコントローラ１２又は内蔵記録媒体コントローラ１３により読み出された映像データを復号化して表示部３又は出力部１７へ出力する。出力部１７には外部モニタが接続されており、復号化された信号は、出力部１１３を介して外部モニタへ出力される。
【００２５】
装置制御部１１１は、画面操作部５から収録指示を受けると、エンコーダ１４で符号化された映像を映像クリップとして記録媒体６，７へ収録するようにメディアコントローラ１２又は内蔵記録媒体コントローラ１３へ指示を出す。このとき、装置制御部１１１は、記録媒体６，７における状態ファイルを参照して収録処理を行う。映像管理部１１２は、記録媒体６，７に対する収録処理が実行されると、状態ファイルにおける収録処理の進行度を更新するようにメディアコントローラ１２又は内蔵記録媒体コントローラ１３へ順次指示を出す。
【００２６】
また、装置制御部１１１は、映像操作部４及び画面操作部５から再生指示を受けると、メディアコントローラ１２又は内蔵記録媒体コントローラ１３に記録媒体６，７から映像クリップを読み出させ、復号化したのち、表示部３又は出力部１７へ出力する。このとき、装置制御部１１１は、記録媒体６，７における状態ファイルを参照して再生処理を行う。映像管理部１１２は、記録媒体６，７に対する再生処理が実行されると、状態ファイルにおける再生処理の進行度を更新するようにメディアコントローラ１２又は内蔵記録媒体コントローラ１３へ順次指示を出す。
【００２７】
また、装置制御部１１１は、画面操作部５からアクセス（コピー、転送、削除及び編集等）指示があると、この指示の内容に応じてメディアコントローラ１２及び内蔵記録媒体コントローラ１３へ指示を出す。このとき、装置制御部１１１は、記録媒体６，７における状態ファイルを参照して各実行処理を行う。映像管理部１１２は、記録媒体６，７に対する各実行処理（コピー、転送、削除及び編集等）が実行されると、状態ファイルにおける各実行処理の進行度を更新するようにメディアコントローラ１２又は内蔵記録媒体コントローラ１３へ順次指示を出す。
【００２８】
また、装置制御部１１１は、実行中の処理の中断指示が入力されると、メディアコントローラ１２又は内蔵記録媒体コントローラ１３に実行中の処理を中断させる。映像管理部１１２は、実行中の処理が中断されると、状態ファイルにける実行処理の状態を実行中から中断へ更新するようにメディアコントローラ１２又は内蔵記録媒体コントローラ１３へ指示を出す。装置制御部１１１は、中断された実行処理の再開指示が入力されると、状態ファイルにおける中断された処理の進行度を参照し、中断された位置から処理を再開するようにメディアコントローラ１２又は内蔵記録媒体コントローラ１３へ指示を出す。
【００２９】
また、装置制御部１１１は、同一の映像クリップに対する複数のアクセス指示が入力される場合、状態ファイルにおける優先度を参照し、最も優先度の高い処理を優先させて実行する。
【００３０】
また、装置制御部１１１は、一の処理を実行している最中に同一クリップに対して他の処理の実行が指示される場合、実行中の処理の優先度と他の処理の優先度とを比較する。実行中の処理の優先度の方が低い場合、その処理を中断し、他の処理を優先させて実行する。このとき、映像管理部１１２は、実行中の処理が中断されると、状態ファイルにける実行処理の状態を実行中から中断へ更新するようにメディアコントローラ１２又は内蔵記録媒体コントローラ１３へ指示を出す。装置制御部１１１は、優先させて実行した処理が終了すると、状態ファイルにおける中断された処理の進行度を参照し、中断された位置から処理を再開するようにメディアコントローラ１２又は内蔵記録媒体コントローラ１３へ指示を出す。
【００３１】
また、装置制御部１１１は、状態ファイルに実行処理の所定の進行度が予め記録されている場合、実行中の処理の優先度の方が高い場合であっても、その処理の進行度が所定の進行度を超えている場合にはその処理を中断し、他の処理を先に実行することも可能である。
【００３２】
さらに、装置制御部１１１は、画面操作部５から状態ファイル内のデータの表示が指示されるとメディアコントローラ１２又は内蔵記録媒体コントローラ１３に状態ファイルを読み出させ、表示部３に表示させる。
【００３３】
次に、上記構成における映像収録装置１０の動作を説明する。図４は、制御部１１が内蔵記録媒体７に記録される映像クリップに対して処理を実行する際の動作を示すフローチャートである。なお、ここでは、内蔵記録媒体７に収録されている映像クリップＢをリムーバブル記録媒体６へコピーしている際に、映像クリップＢの編集が指示される際を例に説明する。図５は、編集指示が入力される際の記録媒体６，７の模式図を示す。
【００３４】
制御部１１は、内蔵記録媒体７に記録された映像クリップＢを編集する旨の指示を画面操作部５から受ける（ステップ４ａ）。すると、装置制御部１１１は、状態ファイルを参照して、実行中の他の処理があるか否かを判断する（ステップ４ｂ）。実行中の他の処理がある場合（ステップ４ｂのＹｅｓ）、状態ファイルを参照して、受け付けた編集指示の対象映像クリップが、実行中の他の処理の対象映像クリップと同一であるか否かを判断する（ステップ４ｃ）。対象映像クリップが同一である場合（ステップ４ｃのＹｅｓ）、状態ファイルを参照して、コピーの優先度が実行中の処理の優先度よりも高いか否かを判断する（ステップ４ｄ）。
【００３５】
図５では、映像クリップＢの編集が指示される際に、映像クリップＢのコピーがすでに実行されている。また、映像クリップＢの編集処理の優先度はＡであるのに対し、映像クリップＢのコピーの優先度はＢであり、編集処理の方が優先度が高い（ステップ４ｄのＹｅｓ）。そのため、装置制御部１１１は、映像クリップＢのコピーを中断する（ステップ４ｅ）。映像管理部１１２は、状態ファイル１，２に、映像クリップＢのコピーが進行度１０％で中断状態となった旨を書き込むようにメディアコントローラ１２及び内蔵記録媒体コントローラ１３へ指示を出す（ステップ４ｆ）。状態ファイルが更新されると、装置制御部１１１は、映像クリップＢの編集を開始する（ステップ４ｇ）。
【００３６】
続いて、装置制御部１１１は、映像クリップＢの編集が終了したか否かを判断する（ステップ４ｈ）。編集が終了した場合（ステップ４ｈのＹｅｓ）、中断していた映像クリップＢのコピー処理を中断位置から再開し（ステップ４ｉ）、処理を終了する。
【００３７】
装置制御部１１１は、ステップ４ｂにおいて実行中の他の処理が無い場合（ステップ４ｂのＮｏ）、映像クリップＢの編集を開始する（ステップ４ｊ）。装置制御部１１１は、編集が終了したか否かを判断し（ステップ４ｋ）、終了した場合（ステップ４ｋのＹｅｓ）、処理を終了する。
【００３８】
装置制御部１１１は、ステップ４ｃにおいて対象映像クリップが同一でない場合（ステップ４ｃのＮｏ）、処理をステップ４ｊに移行する。
【００３９】
装置制御部１１１は、ステップ４ｄにおいて映像クリップＢのコピーの優先度の方が、映像クリップＢの編集の優先度より高い場合（ステップ４ｄのＮｏ）、実行中の処理が終了するまで、編集処理を待機させる（ステップ４ｌ）。装置制御部１１１は、映像クリップＢのコピー処理が終了したか否かを判定し（ステップ４ｍ）、終了した場合（ステップ４ｍのＹｅｓ）、処理をステップ４ｊに移行する。
【００４０】
なお、装置制御部１１１は、状態ファイルに実行処理の所定の進行度が予め記録されている場合には、実行中の処理の優先度より新たに要求した処理の優先度の方が低い場合（ステップ４ｄのＮｏ）、実行中の処理の進行度が所定の進行度を超えているか否かを判定し、超えている場合、処理をステップ４ｅへ移行するようにしてもかまわない。
【００４１】
このように、制御部１１は、記録媒体６，７に記録された映像クリップに対する処理を行う。
【００４２】
以上のように、上記一実施形態では、実行中の処理の進行度を記録媒体６，７の状態ファイルに書き込むようにしている。これにより、映像クリップに対する実行処理が中断された場合であっても、中断時の進行度を参照して、中断位置から実行処理を再開することが可能となる。また、映像収録装置１０を起動／再起動する際にも、中断時の進行度を参照して、中断位置からの実行処理を再開することが可能となる。
【００４３】
また、上記一実施形態では、状態ファイルに実行処理の優先度を記録している。そして、同一の映像クリップに対して複数の実行処理の指示がある場合、その優先度を参照して実行する処理を制限するようにしている。また、一の実行処理の実行中に同一映像クリップに対して他の実行処理が指示された場合、優先度を参照して優先度の高い処理を優先して実行するようにしている。これにより、優先度の高い処理を効率的に実行することが可能となる。
【００４４】
また、上記一実施形態では、状態ファイルに所定の進行度を記録している。そして、一の実行処理の実行中に同一映像クリップに対して他の実行処理が指示された場合、所定の進行度を超えていれば他の処理を実行するようにしている。これにより、映像クリップにおける必要最低限な部位から優先的に処理することが可能となり、効率的な処理が可能となる。
【００４５】
これらのことから、本発明にかかわる映像収録装置１０は、収録素材のファイルサイズが大きい場合であっても、収録素材の再生及び編集等の処理作業を効率的に行うことができる。
【００４６】
また、画面操作部５から所定の実行処理の実行予定時刻を入力し、記録媒体６，７の状態ファイルに書き込むようにしてもよい。装置制御部１１１は、状態ファイルにおける実行予定時刻を参照し、この予定時刻になると、予定された処理を実行するようにメディアコントローラ１２又は内蔵記録媒体コントローラ１３へ指示を出す。これにより、行うべき実行処理を予め予約しておくことが可能となる。
【００４７】
また、複数の実行処理を指定して画面操作部５からそれらの処理の実行順序を入力し、記録媒体６，７の状態ファイルに書き込むようにしてもよい。装置制御部１１１は、状態ファイルにおける実行順序を参照し、その実行順序に従って処理を実行するようにメディアコントローラ１２又は内蔵記録媒体コントローラ１３へ指示を出す。これにより、実行処理の一連の流れを予め予約しておくことが可能となる。
【００４８】
また、状態ファイルには、記録媒体６，７に記録される映像クリップに対して実行された実行処理の実行履歴が書き込まれてもよい。映像管理部１１２は、映像クリップに対して処理が実行されると、状態ファイルにおける実行履歴を更新するようにメディアコントローラ１２又は内蔵記録媒体コントローラ１３へ指示を出す。これにより、記録媒体６，７に記録される映像クリップに対して実行された過去の処理を把握することが可能となる。
【００４９】
なお、本発明は上記実施形態に限定されるものではない。例えば上記一実施形態では、映像収録装置１０にリムーバブル記録媒体６及び内蔵記録媒体７が設置される例について説明したが、設置される記録媒体は、これらに限定されるものではない。
【００５０】
また、上記一実施形態では、映像クリップＡ，Ｂが内蔵記録媒体７に記録される例について説明したが、記録される映像クリップは、これらに限定されるものではない。
【００５１】
また、上記一実施形態では、実行予定時刻、実行順序及び実行履歴が同一の状態ファイルに書き込まれる例について説明したが、これらの書き込み先は、同一の状態ファイルに限定されるわけではなく、記録媒体上にそれぞれの情報を記録する個別のファイルを用意し、このファイルに書き込むようにしても実施可能である。
【００５２】
さらに、本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５３】
１…カメラ
２…ネットワークＩ／Ｆ
３…表示部
４…映像操作部
５…画面操作部
６…リムーバブル記録媒体
７…内蔵記録媒体
８…挿入口
１０…映像収録装置
１１…制御部
１１１…装置制御部
１１２…映像管理部
１２…メディアコントローラ
１３…内蔵記録媒体コントローラ
１４…エンコーダ
１５…デコーダ
１６…受信部
１７…出力部
【図１】
2010171890.tif 000003
【図２】
2010171890.tif 000004
【図３】
2010171890.tif 000005
【図４】
2010171890.tif 000006
【図５】
2010171890.tif 000007